(57)【特許請求の範囲】
【請求項１】
大径胴部(１４)の上端側に設けた頂板(２６)にシール口部(Ａ)を形成した外容器体(２)と、
小径胴部(５８)の上側へ起立する吐出ノズル(７０)を、シール口部(Ａ)の下面側に位置させて、外容器体(２)内に昇降自在に支持させた内容器体(５０)と、
を具備し、
上記内容器体(５０)に対してシール口部(Ａ)から離れる方向へ付勢力を作用させる付勢手段(Ｂ)と、
上記外容器体(２)の底部(４)側に形成した回転操作部(８)と、
回転操作部(８)を一定角度回転させる度に上記付勢力に逆らって内容器体(５０)を一定幅だけシール口部(Ａ)側へ押し込む押動手段(Ｄ)とを設け、
押し込まれた内容器体(５０)が上記付勢力により元の高さに復帰するように形成し、
回転操作部(８)を一定方向へ回転させたときに、吐出ノズル(７０)がシール口部(Ａ)側へ進退して当該シール口部を開閉させることが可能に構成したことを特徴とする吐出容器。
【請求項２】
上記外容器体(２)の底部(４)は、外容器体(２)の大径胴部(１４)と別体として、底板(６)から回転操作部(８)である筒体を起立してなり、この筒体を大径胴部(１４)の下部に回転可能に嵌合させたことを特徴とする、請求項１記載の吐出容器。
【請求項３】
上記押動手段(Ｄ)は、上記底板(６)の上面に周方向一方に向けた第１係合斜面(Ｓ１)を有する押圧突部(１２)を、また内容器体(５０)の底面(５４)に周方向他方に向けた第２係合斜面(Ｓ２)を有する被押圧部(５６)をそれぞれ設け、回転操作部(８)を回転させたときに第１係合斜面(Ｓ１)と第２係合斜面(Ｓ２)とが重なって押圧突部(１２)が被押圧部(５６)を乗り越えることで内容器体(５０)を押圧するように構成しており、
外容器体(２)の大径胴部(１４)と内容器体(５０)とに回り止め手段(Ｔ)を設けたことを特徴とする、請求項２記載の吐出容器。
【請求項４】
上記シール口部(Ａ)は、上記外容器体(２)の頂板(２６)に穿設した挿通孔(２８)の周囲へスリット弁体(４２)を装着してなり、
スリット弁体(４２)は、挿通孔(２８)形成箇所に取り付けた弁筒(４４)の上面に弾性膜(４６)を張設し、この弾性膜(４６)に吐出ノズル(７０)の突き上げにより開口可能なスリット(４６ａ)を穿設していることを特徴とする、請求項１から請求項３の何れかに記載の吐出容器。
【請求項５】
上記頂板(２６)を含む外容器体(２)の頂部(２２)を、上記外容器体(２)の大径胴部(１４)から取り外すことが可能な蓋部材に形成して、この蓋部材の取り外し操作により、外容器体(２)の大径胴部(１４)の上面を開放可能に設け、大径胴部(１４)の上面から内容器体(５０)を出し入れ可能としたことを特徴とする、請求項１から請求項４の何れかに記載の吐出容器。
【請求項６】
上記付勢手段(Ｂ)は、上記内容器体(５０)の頂壁(６６)上面から突設した複数の弾性板部(６８)を撓み状態で上記外容器体(２)の頂板(２６)裏面に当接させてなることを特徴とする、請求項１から請求項５の何れかに記載の吐出容器。
【発明の詳細な説明】
【技術分野】
【０００１】
本発明は、吐出容器、例えば粉末や粒状物の取り出しに適した吐出容器に関する。
【背景技術】
【０００２】
この種の吐出容器として、容器体の頂板に複数の小径の吐出孔を形成しておき、この頂板側を下にして振ることにより、それら吐出孔から内容物を振り出すものがあった（特許文献１）。
【先行技術文献】
【特許文献】
【０００３】
【特許文献１】特開平８−０９１４０５
【発明の概要】
【発明が解決しようとする課題】
【０００４】
特許文献１の容器では、容器体を振る動作をするので、吐出させようとする場所の外側へ内容物が飛び散ることがある。
また内容物が料理にかけるための粉末調味料などである場合には、料理から生ずる湯気により粉末が湿気を含み、小径の振出孔が詰まってしまう可能性もある。
さらに蓋をしないで容器を机の上などに置いておくと、容器を倒して内容物がこぼれるおそれがあった。
【０００５】
本発明の目的は、回転操作部の回転操作により吐出ノズルがシール口部側へ進退して当該シール口部を開閉させるように設けた、使い勝手のよい吐出容器を提供することである。
【課題を解決するための手段】
【０００６】
第１の手段は、
大径胴部１４の上端側に設けた頂板２６にシール口部Ａを形成した外容器体２と、
小径胴部５８の上側へ起立する吐出ノズル７０を、シール口部Ａの下面側に位置させて、外容器体２内に昇降自在に支持させた内容器体５０と、
を具備し、
上記内容器体５０に対してシール口部Ａから離れる方向へ付勢力を作用させる付勢手段Ｂと、
上記外容器体２の底部４側に形成した回転操作部８と、
回転操作部８を一定角度回転させる度に上記付勢力に逆らって内容器体５０を一定幅だけシール口部Ａ側へ押し込む押動手段Ｄとを設け、
押し込まれた内容器体５０が上記付勢力により元の高さに復帰するように形成し、
回転操作部８を一定方向へ回転させたときに、吐出ノズル７０がシール口部Ａ側へ進退して当該シール口部を開閉させることが可能に構成した。
【０００７】
本手段では、図１に示すように外容器体２の底部側に形成した回転操作部８を回転させることにより、その回転力を押動手段Ｄにより内容器体５０をシール口部Ａ側（図面上側）へ押し込み、内容器体５０の吐出ノズル７０がシール口部Ａ側へ進退して当該シール口部を開閉させることが可能にすることを提案している。回転操作部８を回し続けると、吐出ノズル７０の進退の動作を繰り返させることができる。
【０００８】
「シール口部」とは、常時は閉塞しており、吐出ノズルが突き当たることで開口する口部をいう。
本明細書において、“上”及び“下”という用語を用いるときには、特に断らない限り、図１の状態（正立状態）での向きをいうものとする。
【０００９】
第２の手段は、第１の手段を有し、かつ
上記外容器体２の底部４は、外容器体２の大径胴部１４と別体として、底板６から回転操作部８である筒体を起立してなり、この筒体を大径胴部１４の下部に回転可能に嵌合させた。
【００１０】
本手段では、図１に示す如く、外容器体２の大径胴部１４と有頂筒形の底部４とを別体に形成し、この底部の筒壁（筒体）で回転操作部８を形成することを提案している。大径胴部１４に対して底部４を回転させればよいので、連続して回転操作をし易く、吐出ノズルの進退の動作を繰り返すことが容易である。
【００１１】
第３の手段は、第２の手段を有し、かつ
上記押動手段Ｄは、上記底板６の上面に周方向一方に向けた第１係合斜面Ｓ１を有する押圧突部１２を、また内容器体５０の底面５４に周方向他方に向けた第２係合斜面Ｓ２を有する被押圧部５６をそれぞれ設け、回転操作部８を回転させたときに第１係合斜面Ｓ１と第２係合斜面Ｓ２とが重なって押圧突部１２が被押圧部５６を乗り越えることで内容器体５０を押圧するように構成しており、
外容器体２の大径胴部１４と内容器体５０とに回り止め手段Ｔを設けた。
【００１２】
本手段では、図１に示す、押動手段Ｄの好適な構造を提案している。即ち、外容器体２の底部に設けた押圧突部１２と、内容器体の底面に設けた被押圧部５６とで形成しているので、簡単な構造で確実に内容器体５０をシール口部Ａ側へ押し込むことができる。
【００１３】
第４の手段は、第１の手段から第３の手段のいずれかを有し、かつ
上記シール口部Ａは、上記外容器体２の頂板２６に穿設した挿通孔２８の周囲へスリット弁体４２を装着してなり、
スリット弁体４２は、挿通孔２８形成箇所に取り付けた弁筒４４の上面に弾性膜４６を張設し、この弾性膜４６に吐出ノズル７０の突き上げにより開口可能なスリット４６ａを穿設している。
【００１４】
本手段では、図１に示すように、シール口部Ａの構成にスリット弁体４２を用いることを提案している。これにより、吐出容器を誤って倒した場合でも内容物がこぼれることを防止できる。
【００１５】
第５の手段は、第１の手段から第４の手段のいずれかを有し、かつ
上記頂板２６を含む外容器体２の頂部２２を、上記外容器体２の大径胴部１４から取り外すことが可能な蓋部材に形成して、この蓋部材の取り外し操作により、外容器体２の大径胴部１４の上面を開放可能に設け、大径胴部１４の上面から内容器体５０を出し入れ可能とした。
【００１６】
本手段では、外容器体２の頂部２２を、上記外容器体２の大径胴部１４から取り外すことが可能な蓋部材に形成している。そして蓋部材の取り外し状態で内容器体５０を詰め替えることができる。
【００１７】
第６の手段は、第１の手段から第５の手段のいずれかを有し、かつ
上記付勢手段Ｂは、上記内容器体５０の頂壁６６上面から突設した複数の弾性板部６８を撓み状態で上記外容器体２の頂板２６裏面に当接させてなる。
【００１８】
本手段では、図１及び図２に示すように、内容器体５０の頂壁６６上面から突設した複数の弾性板部６８を撓ませて上記外容器体２の頂板２６裏面に当接させることで、付勢手段Ｂを形成している。
【発明の効果】
【００１９】
第１の手段に係る発明によれば、回転操作部８を操作したときのみ、吐出ノズル７０がシール口部Ａ側へ進退するので、吐出物が粉末等である場合には湯気などによる吐出物の詰まりを、また吐出物が液体等である場合には乾燥による吐出物の固化や変質を防止できる。
第２の手段に係る発明によれば、倒立状態で大径胴部１４を把持して回転操作部８を回転させ続けることで、吐出ノズル７０がシール口部側へ進退する動作を繰り返すことが可能となり、従来技術のように容器から内容物を振り出すことが必要とないから、内容物の飛び散りを防止できる。
第３の手段に係る発明によれば、回転時に押圧突部１２が被押圧部５６を乗り越えるときの音と感触で吐出動作が行われたことを利用者が容易に認識できる。
第４の手段に係る発明によれば、シール口部Ａは頂板の挿通孔２８の周囲へスリット弁体４２を装着してなるから、倒立状態としても、回転操作部８を回転させない限り、シール口部Ａの外に吐出物がこぼれることがない。
第５の手段に係る発明によれば、上記頂板２６を含む外容器体２の頂部２２を、上記外容器体２の大径胴部１４から取り外すことが可能な蓋部材として、この蓋部材の取り外し操作により、外容器体２の大径胴部１４の上面を開放し、この上面から内容器体５０を出し入れすることが可能としたから、内容器体の詰替えが容易である。
第６の手段に係る発明によれば、付勢手段Ｂは、上記内容器体５０の頂壁６６上面から突設した複数の弾性板部６８で形成したから、部材数が増えることがない。
【図面の簡単な説明】
【００２０】
【図１】本発明の実施形態に係る吐出容器の縦断面図である。
【図２】図１の吐出容器の内容器体の構造を、ＩＩ−ＩＩ方向に見た概念図である。
【図３】図１の吐出容器のＩＩＩ−ＩＩＩ方向に見た横断面図である。
【図４】図１の吐出容器の吐出作業の第１段階であって、容器を倒立させて開蓋し、回転操作部８を回転させ始めた状態を示す図である。
【図５】上記吐出作業の第２段階であって、回転操作部８を回転させて吐出ノズルが外側へ出現した状態を示す図である。
【図６】上記吐出作業の第３段階であって、回転操作部８をさらに回転させて吐出ノズル７０が内側へ戻った状態を示す図である。
【発明を実施するための最良の形態】
【００２１】
図１から図６は、本発明の実施形態に係る吐出容器を示している。この吐出容器は、外容器体２と内容器体５０とで形成される。これら各部材は、例えば合成樹脂材で形成することができる。
【００２２】
外容器体２は、本実施形態において、図１に示すように、底部４と、大径胴部１４と、頂部２２とで構成している。もっともこれらの構造は適宜変更することができる。
【００２３】
上記底部４は、円板状の底板６の周端部から回転操作部８である筒体を起立している。図示例では、この筒体の内面に係合凹溝１０を周設している。また底部４の上面には押圧突部１２を形成する。この押圧突部の構造については、説明の都合上、後述する。
【００２４】
上記大径胴部１４は、上下両端開口の筒形であり、大径胴部１４の外面の下側には、環状リブ１６を周設しており、この環状リブより下方の胴部分を上記底部４の筒体内に回転自在に嵌合させるとともに、その筒体の上端を上記環状リブ１６の下面に突き当てている。また大径胴部の下部には、上記係合凹溝１０内へ回動可能に嵌合する抜止め用突条を形成している。また大径胴部１４の上部外面には、ネジ部１８を形成している。大径胴部１４の内面には、適当数（図示例では図１の左右一対）の回り止め用縦溝２０を縦設している。
【００２５】
上記頂部２２は、大径胴部１４の上面開口を覆う頂板２６を有し、この頂板２６の中央部にシール口部Ａを形成している。本実施形態では、上記頂部２２を、蓋本体２３及び蓋体３４からなる蓋部材として形成しているが、その構造は適宜変更することができる。
【００２６】
上記蓋本体２３は、上記頂板２６の外周部から垂下する外周壁部２４を、上記大径胴部１４の上部に嵌合（図示例では螺合）させている。上記頂板２６の中央部には、挿通孔２８を形成するとともに、その孔縁から筒状の孔壁２８ａを、また、その周囲から孔壁２８ａより高い支持筒２９をそれぞれ起立している。支持筒２９の内面には係止リブ３０を横設している。また孔壁２８ａと支持筒２９との間の頂板部分には、複数の透孔３１を穿設するとともに、透孔同士の間の板部分を連結板部として孔壁を支持させている。
【００２７】
上記シール口部Ａは、上記支持筒２９内にスリット弁体４２を装着することで形成される。スリット弁体４２は、弁筒４４の上端部に張設した弾性膜４６に、十字状などの形状のスリット４６ａを穿設してなり、上記弁筒４４を支持筒２９の内面に嵌合するとともに、弁筒４４の下端部内面を孔壁２８ａに当接させている。弁筒４４の外面には、上記支持筒２９の係止リブ３０下面に係止する突起を設けている。弾性膜４６は断面形状で下向きに弯曲してスリット４６ａを密閉しており、後述の吐出ノズル７０の突き上げにより、スリット４６ａが開口するように設けている。
【００２８】
上記蓋体３４は、天板３６の外周縁から蓋周壁部３８を垂下し、この蓋周壁部３８と外周壁部２４とをヒンジ３２で連結している。天板３６の中央部は、閉蓋時に弾性膜４６と接する当接凹部３７を形成し、スリット４６aを押し下げている。当接凹部３７は、スリット４６aの可動部分の癒着を防止するための押さえ部として機能する。また天板３６の裏面からは、当接凹部３７を囲むシール筒部４０を垂下して、このシール筒部４０を支持筒２９の外面に嵌合している。
【００２９】
内容器体５０は、外容器体２内に昇降可能に支持されており、頂壁６６から起立する吐出ノズル７０を有し、この吐出ノズル７０をシール口部Ａの下側に位置させ、外容器体２に対して上下動することで吐出ノズル７０がシール口部Ａ側へ進退して当該シール口部を開閉させることが可能に構成している。
【００３０】
本実施形態では、上記内容器体５０は、図１に示すように、本体部５２と、内蓋６０とで構成している。本体部５２は、有底筒形であって、底面５４に後述の被押圧部５６を有し、筒壁である小径胴部５８の上部外面にネジ部を有している。小径胴部５８と大径胴部１４とは同心軸状に配置されている。
【００３１】
上記内蓋６０は、上記頂壁６６の外縁部から内周壁部６２を垂下し、この内周壁部６２の内面を小径胴部５８の上部に嵌合（図示例では螺合）させている。また内周壁部６２の外面に縦リブ６４を縦設し、この縦リブ６４を上記大径胴部１４の回り止め用縦溝２０内に摺動可能に嵌合させて回り止め用手段Ｔを形成している。なお、図示の構成に代えて、内周壁部６２の外面に回り止め用縦溝を、また大径胴部１４の内面に縦リブをそれぞれ設けても構わない。
【００３２】
上記吐出ノズル７０は、頂壁６６の中央部から起立し、挿通孔２８を介して弁筒４４内部へ突入している。本実施形態では、挿通孔２８の孔壁２８ａを吐出ノズル７０の外面に近接又は密接させて、吐出操作の後に吐出容器を正立状態に戻したときに弁筒内部から粉体が下方へこぼれ落ちないようにしている。
【００３３】
上記頂壁６６の上面からは、複数の弾性板部６８を起立しており、これら弾性板部をそれぞれ撓ませた状態で弾性板部の先端部６８ｂを外容器体２の頂板２６下面外周部に摺動可能に当接させることで、内容器体５０を下方へ付勢させる付勢手段Ｂを形成している。好適な図示例では、弾性板部６８の基端部６８ａを上記頂壁６６に連続成形させている。各基端部６８ａは、図２に示すように、小径胴部５８の半径方向に配向しており、弾性板部６８は、上方から見て、周方向一方へ延びる扇形状に形成している。図示例では、一対の弾性板部６８を付設しているが、等角的な位置に３つ以上の弾性板部６８を設けても構わない。
【００３４】
また本発明では、図３に示すように、内容器体５０の底面５４の中心から各被押圧部５６までの距離を一定とし、また外容器体２の底板６の中心から押圧突部１２までの距離も同じとして、同図にハッチングで示す押圧突部１２が被押圧部５６へ乗り上げることが可能に形成している。
【００３５】
また図示例の被押圧部５６は、図１に示すように、内容器体５０の底面５４から下方突出する突部として形成されている。押圧突部１２は周方向一方に向けた第１傾斜面Ｓ１を、また被押圧部５６は周方向他方に向けた第２傾斜面Ｓ２を、それぞれ有している。これら押圧突部１２及び被押圧部５６により、内容器体をシール口部側へ押し込む押動手段Ｄを形成している。
【００３６】
押圧突部１２及び被押圧部５６は、図１に示す如く、側方（大径胴部及び小径胴部の径方向）からみて直角三角形状になっている。これにより図５に示す状態から、押圧突部１２が被押圧部５６を乗り越えたときに、付勢手段Ｂの付勢力により、内容器体５０が元の位置に勢いよく戻る。それによって生ずる音或いは吐出容器を持つ手の感触により一度の吐出動作が終わったことが利用者に明瞭に認識される。
【００３７】
図示例では底板６からの押圧突部１２の突出長及び内容器体５０底面からの被押圧部５６の突出長を同じ長さに形成している。押圧突部１２の突出長及び被押圧部５６の突出長の和は、図１に示す初期状態での吐出ノズル７０の上端から弾性膜４６までの距離よりも大きくするものとする。
【００３８】
押圧突部１２は、等角的に離して周方向に複数個（図示例では２個）設けるとよく、その場合には、被押圧部５６は、押圧突部１２の個数の整数倍（図示例では４個）の数を等角的に設ける。
【００３９】
上記構成において、吐出作業を行うときには、図１の状態から、蓋体３４を開いて、吐出容器を倒立状態として大径胴部１４を把持し、図４の如く、回転操作部８を回転させる。これにより、押圧突部１２の第１係合斜面Ｓ１と被押圧部５６の第２係合斜面Ｓ２とが重なって、図５の如く押圧突部１２が被押圧部５６を乗り越えようとするので、内容器体５０がシール口部Ａ側へ押し込まれ、吐出ノズル７０がシール口部Ａ側へ進出して弾性膜４６のスリット４６ａを押し広げる。押圧突部１２が被押圧部５６を乗り越えると、付勢手段Ｂの付勢力により、吐出ノズル７０はシール口部Ａから離れる。これによりスリット４６ａが閉じる。
【００４０】
このように、吐出ノズル７０がシール口部Ａ側へ進退するので、容器を振る動作をしなくても、吐出ノズル７０がシール口部Ａを押し広げた瞬間に内容物が効率的に外部へ吐出される。この作用の利点を述べると次の通りである。
（１）上記進退動作は、人の手による振出動作と違って直線的な動きであり、かつ容器を持つ手の位置が動かないから、内容物が予期しない方向へ飛び散ることがない。
（２）回転操作部８を一方向へ回転させ続けるだけで、吐出ノズル７０はシール口部Ａ側への進退の動作を繰り返し、常時外気にさらされることがないので、吐出ノズル内に湿気が入って、内容物が詰まる可能性が少ない。
（３）押圧突部１２が被押圧部５６を乗り越えるときに音や感触が生ずる場合には、一回の吐出操作が終わったことを利用者が明瞭に認識できる。
【００４１】
また吐出作業を中断する場合には、蓋体３４を閉めることを省略しても、シール口部Ａのスリット４６ａが自動的に閉鎖するので、吐出容器を倒しても、内容物がこぼれることがない。
【００４２】
内容物を使い切ったときには、外容器体２の頂部２２を大径胴部１４から外して、内容器体５０を詰め替えることができる。
【符号の説明】
【００４３】
２…外容器体  ４…底部  ６…底板  ８…回転操作部（筒体）  １０…係合凹溝
１２…押圧突部  １４…大径胴部  １６…環状リブ
１８…ネジ部  ２０…回り止め用縦溝  ２２…頂部（蓋部材）  ２３…蓋本体
２４…外周壁部  ２６…頂板  ２８…挿通孔  ２８ａ…孔壁
２９…支持筒  ３０…係止リブ  ３１…透孔
３２…ヒンジ  ３４…蓋体  ３６…天板  ３７…当接凹部  ３８…蓋周壁部
４０…シール筒部
４２…スリット弁体  ４４…弁筒  ４６…弾性膜  ４６ａ…スリット
５０…内容器体  ５２…本体部  ５４…底面  ５６…被押圧部  
５８…小径胴部  ６０…内蓋  ６２…内周壁部  ６４…縦リブ
６６…頂壁  ６８…弾性板部  ６８ａ…基端部  ６８ｂ…先端部
７０…吐出ノズル
Ａ…シール口部  Ｂ…付勢手段  Ｄ…押動手段
Ｓ１…第１係合斜面  Ｓ２…第２係合斜面
Ｔ…回り止め手段
【図１】
0006468597.tif 000002
【図２】
0006468597.tif 000003
【図３】
0006468597.tif 000004
【図４】
0006468597.tif 000005
【図５】
0006468597.tif 000006
【図６】
0006468597.tif 000007